(57)【要約】【課題】前回と同じＰＬＵコードや部門コード等の売上を点検する場合にはコードの指定操作を省略できるようにする。【解決手段】個別印刷により商品売上データを印刷出力するコードが指定されると、その指定されたコードの商品売上データを売上集計部から取得して記録紙に印刷出力する。また、最初のコードが指定された際には、コード保管部に保管されているコードをクリアし、その後、その最初のコードから順次指定されたコードをコード保管部に書込む。そして、コードが指定されることなく個別印刷の実行が指令された場合には、コード保管部に保管されているコードの商品売上データを売上集計部から取得して記録紙に印刷出力する。【選択図】      図７
2005346262.tif 000002
【特許請求の範囲】
【請求項１】
入力された各商品の販売データをその商品に設定されたコード別に集計して商品売上データを得る売上集計部を有し、この売上集計部にて集計されたコード別の商品売上データを記録紙に印刷出力することが可能な商品販売データ処理装置において、
前記売上集計部にてコード別に集計された商品売上データのうち指定されたコードの商品売上データを印刷出力する個別印刷を指令する個別印刷指令手段と、
前記個別印刷により商品売上データを印刷出力するコードを指定するコード指定手段と、
このコード指定手段により指定されたコードの商品売上データを前記売上集計部から取得して前記記録紙に印刷出力する個別印刷実行手段と、
前記コード指定手段により指定されたコードを保管するコード保管部と、
前記コード指定手段により最初のコードが指定されると前記コード保管部に保管されているコードをクリアし、その後、その最初のコードから順次指定されたコードを前記コード保管部に書込むコード保管処理手段と、
コードが指定されることなく個別印刷の実行が指令されると、前記コード保管部に保管されているコードの商品売上データを前記売上集計部から取得して前記記録紙に印刷出力する履歴印刷実行手段と、
を具備したことを特徴とする商品販売データ処理装置。
【請求項２】
前記商品に設定されたコードは、各商品をそれぞれ識別する商品識別コードまたは各商品の分類を識別する商品分類コードのいずれか一方または両方であることを特徴とする請求項１記載の商品販売データ処理装置。
【発明の詳細な説明】
【技術分野】
【０００１】
本発明は、電子式キャッシュレジスタ，ＰＯＳ（Point Of Sales）端末等の商品販売データ処理装置に関する。
【背景技術】
【０００２】
一般に、この種の商品販売データ処理装置は、入力された各商品の販売データをその商品を識別する商品識別コード（単品コード，商品コード，ＰＬＵコード等と称される）やその商品の分類を識別する商品分類コード（部門コード，グループコード，クラスコード等と称される）等のコード別に集計して商品売上データを得、この商品売上データをレシート用紙等の記録紙に印刷出力することで各商品の売上動向を適時点検できるようになっている。
【０００３】
ところで、多くの品種を取り扱う小売店では、商品識別コードの数は勿論のこと商品分類コードの数も増えるため、点検の都度、全てのコードの商品売上データを印刷出力していては印刷に長時間を要する。また、常に全ての商品の売上動向をチェックする必要はない。
【０００４】
そこで従来、集計した値が所定の値、例えば０のときにはその値の項目全てを印刷しないようにして、印刷時間の短縮及び記録紙の消費節約を図るようにした商品販売データ処理装置は既に知られていた（例えば、特許文献１参照）。
【特許文献１】特開２００３−１２３１４３公報
【発明の開示】
【発明が解決しようとする課題】
【０００５】
しかしながら、集計した値が所定値の項目の印刷を省略するようにした従来技術においては、必ずしも売上を点検したい項目のデータだけが印刷出力されるわけではなく、無駄な項目のデータも同時に印刷出力される場合が殆どである。また逆に、必要な項目のデータが印刷出力されない場合もあり得る。
【０００６】
そこで、売上を点検したい項目をその都度指定することで、指定項目の売上集計データだけを印刷出力する、いわゆる個別点検機能を備えた商品販売データ処理装置があった。しかし、従来の個別点検機能は、前回と同じ項目の売上を点検する場合も毎回同じ項目を指定しなければならないという不便があった。
【０００７】
本発明はこのような事情に基づいてなされたもので、その目的とするところは、前回と同じ項目の売上を点検する場合には項目指定操作を省略できる個別点検機能を備えた商品販売データ処理装置を提供しようとするものである。
【課題を解決するための手段】
【０００８】
本発明は、入力された各商品の販売データをその商品に設定されたコード、例えば商品識別コードや商品分類コード別に集計して商品売上データを得る売上集計部を有し、この売上集計部にて集計されたコード別の商品売上データを記録紙に印刷出力することが可能な商品販売データ処理装置において、売上集計部にてコード別に集計された商品売上データのうち指定されたコードの商品売上データを印刷出力する個別印刷を指令する個別印刷指令手段を設ける。また、個別印刷により商品売上データを印刷出力するコードを指定するコード指定手段と、指定されたコードを保管するコード保管部とを設ける。そして、コード指定手段によりコードが指定されると、個別印刷実行手段が動作して、その指定されたコードの商品売上データを売上集計部から取得して記録紙に印刷出力する。また、最初のコードが指定された際には、コード保管処理手段によりコード保管部に保管されているコードをクリアし、その後、その最初のコードから順次指定されたコードをコード保管部に書込むようにする。そして、コードが指定されることなく個別印刷の実行が指令された場合には、履歴印刷実行手段が動作して、コード保管部に保管されているコードの商品売上データを売上集計部から取得して記録紙に印刷出力するようにしたものである。
【発明の効果】
【０００９】
かかる手段を講じた本発明によれば、前回と同じ項目の売上を点検する場合には項目指定操作を省略できる個別点検機能を備えた商品販売データ処理装置を提供できる。
【発明を実施するための最良の形態】
【００１０】
以下、本発明の実施の形態を図面を用いて説明する。  
なお、この実施の形態は、各商品を識別する商品識別コードをＰＬＵコードとし、各商品を分類する商品分類コードを部門コードとして、ＰＬＵコード別及び部門コード別に各商品の売上データを集計するようにした電子式キャッシュレジスタに本発明を適用した場合である。
【００１１】
図１は本実施の形態における電子式キャッシュレジスタ１の外観を示す斜視図である。電子式キャッシュレジスタ１は、その前面手前側にキーボード２とモードスイッチ３の操作手段を設けている。また、その前面後方にオペレータ用の表示器４と顧客用の表示器５とを設けている。さらに、レシート印字を行うためのプリンタ６を内蔵しており、このプリンタ６によって印刷されたレシート用紙をレシート発行口７から排出するようになっている。また、電子式キャッシュレジスタ１は、釣銭等を収容するためのドロワ８を設けている。
【００１２】
キーボード２は、図２に示すように、「００」「０」〜「９」の置数キー２１の他、クリアキー２２、複数（図では１０）の部門コードがプリセットされるプリセット部門キー２３、複数（図では１９）のＰＬＵコードがプリセットされるプリセットＰＬＵキー２４、小計キー２５、預／現計キー２６、×キー２７、部門キー２８、ＰＬＵキー２９等の各種ファンクションキーを配設したものである。
【００１３】
モードスイッチ３は、図３に示すように、「登録」，「点検」，「精算」，「設定」，「休止」等の各種業務モードを選択するための切替式のスイッチである。因みに、「登録」とは、キーボード２のキー操作により入力された販売商品のＰＬＵコードまたは部門コードに基づいてその商品の販売点数，販売金額等の商品販売データをメモリ上でＰＬＵコードまたは部門コード等の項目別に集計する業務のモードである。「点検」とは、「登録」によってＰＬＵコードまたは部門コード等の項目別に集計された各商品の売上データをプリンタ６によりレシート用紙に印刷する業務のモードである。「精算」とは、「点検」と同様に項目別に集計された各商品の売上データをプリンタ６によりレシート用紙に印刷した後、メモリ上で集計されたデータをクリアする業務のモードである。
【００１４】
図４は電子式キャッシュレジスタに実装される制御回路の機能構成を示すブロック図である。電子式キャッシュレジスタは、制御部本体としてＣＰＵ（Central Processing Unit）４１を搭載している。また、プログラム等の固定的データが予め格納されたＲＯＭ（Read Only Memory）４２、可変的なデータを記憶するための各種メモリエリア等が形成されたＲＡＭ（Random Access Memory）４３、現在の日付及び時刻を計時する時計部４４、モードスイッチ３の信号が入力されるポートとドロワ８への開放指令信号が出力されるポートとを有するＩ／Ｏ（Input／Output）ポート４５、前記キーボード２から操作キーに対応したキー信号が入力されるキーボードコントローラ４６、前記オペレータ用表示器４に表示データに対応した文字，数字等を表示させる表示コントローラ４７、前記客用表示器５に表示データに対応した文字，数字等を表示させる表示コントローラ４８、前記プリンタ６による印字動作を制御するプリンタコントローラ４９等を備えている。ＣＰＵ４１と、ＲＯＭ４２，ＲＡＭ４３，時計部４４、Ｉ／Ｏポート４５及び各種入出力機器のコントローラ４６〜４９とは、アドレスバス，データバス等のバスラインで接続されている。
【００１５】
前記ＲＡＭ４３には、特に図５に示すエリア構造のＰＬＵ売上テーブル５１、部門売上テーブル５２、ＰＬＵ個別点検履歴テーブル５３、部門個別点検履歴テーブル５４、ＰＬＵ個別点検履歴フラグＦ１のフラグメモリ５５及び部門個別点検履歴フラグＦ２のフラグメモリ５６が設けられている。
【００１６】
ＰＬＵ売上テーブル５１は、各商品にそれぞれ設定されたＰＬＵコードに対応して、そのＰＬＵコードが設定された商品の名称であるＰＬＵ名称、その商品１点当たりの価格である単価及びその商品が属する部門コードであるリンク部門の各データを設定するとともに、その商品の売上点数及び売上金額の商品売上データを集計するもので、ＰＬＵ別売上集計部を構成している。
【００１７】
部門売上テーブル５２は、各商品を分類する部門コードに対応して、その部門コードの特定名称である部門名称データを設定するとともに、その部門に属する商品の売上点数及び売上金額の商品売上データを集計するもので、部門別売上集計部を構成している。
【００１８】
ＰＬＵ個別点検履歴テーブル５３は、前回のＰＬＵ個別点検時に指定されたＰＬＵコードを全て保管するエリアである。また、部門個別点検履歴テーブル５４は、前回の部門個別点検時に指定された部門コードを全て保管するエリアである。このＰＬＵ個別点検履歴テーブル５３及び部門個別点検履歴テーブル５４は、コード保管部を構成している。本実施の形態では、ＰＬＵ個別点検履歴テーブル５３及び部門個別点検履歴テーブル５４は、最大で１００個のコードを保管できるようになっている。
【００１９】
フラグメモリ５５のＰＬＵ個別点検履歴フラグＦ１は、上記ＰＬＵ個別点検履歴テーブル５３にＰＬＵコードを保管する際に“１”にセットされる。フラグメモリ５６の部門個別点検履歴フラグＦ２は、上記部門個別点検履歴テーブル５４に部門コードを保管する際に“１”にセットされる。
【００２０】
しかして、この電子式キャッシュレジスタは、「登録」モードが選択されている状態において、キーボード２のプリセットＰＬＵキー２４または置数キー２１とＰＬＵキー２９との入力により販売商品のＰＬＵコードが入力されると、ＣＰＵ４１が以下の売上集計処理を実行するものとなっている。すなわちＣＰＵ４１は、入力されたＰＬＵコードでＰＬＵ売上テーブル５１を検索して、対応するＰＬＵ名称，単価及びリンク部門のデータを取得する。そして、単価に販売点数（ＰＬＵコードの入力直前に置数キー２１と×キー２７とにより乗数が入力されていた場合にはその乗数、入力されていない場合には“１”）を乗算して販売金額を算出する。そして、販売点数及び販売金額を、ＰＬＵ売上テーブル５１の当該ＰＬＵコードに対応する売上点数データ及び売上金額データに加算する。また、同販売点数及び販売金額を、部門売上テーブル５２のリンク部門コードに対応する売上点数データ及び売上金額データに加算するものとなっている。
【００２１】
かくして、ＰＬＵ売上テーブル５１においては、各商品を識別するＰＬＵコードに対応して販売入力された各商品の売上点数及び売上金額の商品売上データが集計されこととなり、部門売上テーブル５２においては、各商品を分類する部門コードに対応して販売入力された各商品の売上点数及び売上金額の商品売上データが集計されることとなる。
【００２２】
また、この電子式キャッシュレジスタは、モードスイッチ３が切替え操作されて「点検」モードが選択されると、ＣＰＵ４１が特に図６〜図８の流れ図に示す処理を実行するものとなっている。
【００２３】
先ず、ＣＰＵ４１は、図６のＳＴ１として点検業務の中のいずれかの業務を指定する点検コードが入力されるのを待機する。そして、キーボード２の置数キー２１と例えば小計キー２５との操作によりいずれかの点検コードが入力されると、その点検コードによって指定された点検業務の処理を実行する。なお、点検業務としては、ＰＬＵ売上テーブル５１にてＰＬＵコード別に集計された各商品の売上データを全て印刷出力するＰＬＵ通常点検業務、ＰＬＵコード別に集計された各商品の売上データの中から指定されたＰＬＵコードの商品売上データを抽出して印刷出力するＰＬＵ個別点検業務、部門売上テーブル５２にて部門コード別に集計された各商品の売上データを全て印刷出力する部門通常点検業務、部門コード別に集計された各商品の売上データの中から指定された部門コードの商品売上データを抽出して印刷出力する部門個別点検業務等がある。
【００２４】
今、ＰＬＵ個別点検業務を指定する点検コードが入力されたとする。そうすると、ＣＰＵ４１は、図７に具体的に示すＰＬＵ個別点検処理を開始する。すなわちＣＰＵ４１は、ＳＴ２としてＰＬＵ個別点検レポートの発行を指令するキー、例えば預／現計キー２６が入力されるか、ＳＴ３として個別印刷を行うＰＬＵコードが入力されるのを待機する。
【００２５】
プリセットＰＬＵキー２４または置数キー２１とＰＬＵキー２９との入力により個別印刷を行うＰＬＵコードが入力された場合には、ＣＰＵ４１は、ＰＬＵ売上テーブル５１を検索して当該ＰＬＵコードに対応するＰＬＵ名称，売上点数及び売上金額の各データを取得する。そして、このＰＬＵコードとＰＬＵ名称，売上点数及び売上金額の各データをプリンタ６によりレシート用紙に印字出力する（個別印刷実行手段）。
【００２６】
次に、ＣＰＵ４１は、ＳＴ４としてＰＬＵ個別点検履歴フラグＦ１をチェックする。ここで、ＰＬＵ個別点検履歴フラグＦ１が“０”にリセットされていた場合には、個別点検を行う最初のＰＬＵコードが入力されたので、ＣＰＵ４１は、ＰＬＵ個別点検履歴テーブル５３に保管されている全てのＰＬＵコードをクリアする。次いで、カウンタＮを“０”に初期化するとともにＰＬＵ個別点検履歴フラグＦ１を“１”にセットしたならば、ＳＴ５としてカウンタＮを「１」だけカウントアップする。そして、ＰＬＵ個別点検履歴テーブル５３のナンバーＮ（ＮはカウンタＮの値）の領域に、入力されたＰＬＵコードを書込む（コード保管処理手段）。
【００２７】
これに対し、ＳＴ４にてＰＬＵ個別点検履歴フラグＦ１が“１”にセットされていた場合には、個別点検を行う２品目以降のＰＬＵコードが入力されたので、ＣＰＵ４１は、ＳＴ５の処理に進み、カウンタＮを「１」だけカウントアップする。そして、ＰＬＵ個別点検履歴テーブル５３のナンバーＮ（ＮはカウンタＮの値）の領域に、入力されたＰＬＵコードを書込む（コード保管処理手段）。
【００２８】
こうして、ＰＬＵコードが入力される毎に上述した処理を繰返す。そして、預／現計キー２６の入力を検知した場合には、ＰＬＵ個別点検レポートの発行が指令されたので、ＣＰＵ４１は、ＳＴ６としてＰＬＵ個別点検履歴フラグＦ１をチェックする。この場合、ＰＬＵ個別点検履歴フラグＦ１は“１”にセットされているので、ＣＰＵ４１は、ＰＬＵ個別点検履歴フラグＦ１を“０”にリセットするとともに、ロングレシート処理をプリンタ６に指令し、レシート用紙をＰＬＵ個別点検レポートとして発行させて、今回のＰＬＵ個別点検業務を終了する。
【００２９】
一方、ＰＬＵ個別点検業務を指定する点検コードが入力された後、ＰＬＵコードの入力無しに預／現計キー２６が入力された場合には、ＣＰＵ４１は、ＳＴ６としてＰＬＵ個別点検履歴フラグＦ１をチェックする。この場合、ＰＬＵ個別点検履歴フラグＦ１は“０”にリセットされているので、ＣＰＵ４１は、カウンタＮを“０”に一旦初期化する。
【００３０】
次いで、ＣＰＵ４１は、カウンタＮを「１」だけカウントアップしたならば、ＳＴ７としてＰＬＵ個別点検履歴テーブル５３のナンバーＮ（ＮはカウンタＮの値）の領域を検索し、ＰＬＵコードが保管されているか否かを判断する。そして、保管されている場合にはそのＰＬＵコードを取得し、ＰＬＵ売上テーブル５１を検索して当該ＰＬＵコードに対応するＰＬＵ名称，売上点数及び売上金額の各データを取得する。そして、このＰＬＵコードとＰＬＵ名称，売上点数及び売上金額の各データをプリンタ６によりレシート用紙に印字出力する（履歴印刷実行手段）。
【００３１】
その後、ＣＰＵ４１は、カウンタＮをさらに「１」だけカウントアップする。そして、ＰＬＵ個別点検履歴テーブル５３のナンバーＮの領域を検索し、ＰＬＵコードが保管されている場合にはそのＰＬＵコードに対応するＰＬＵ名称，売上点数及び売上金額の各データをレシート用紙に印字出力する処理を繰返す。
【００３２】
こうして、ＰＬＵ個別点検履歴テーブル５３のナンバーＮの領域を検索した結果、ＰＬＵコードが保管されていないことを確認した場合には、ＣＰＵ４１は、ロングレシート処理をプリンタ６に指令し、レシート用紙をＰＬＵ個別点検レポートとして発行させて、今回のＰＬＵ個別点検業務を終了する。
【００３３】
部門個別点検業務を指定する点検コードが入力された場合には、ＣＰＵ４１は、図８に具体的に示す部門個別点検処理を開始する。すなわちＣＰＵ４１は、ＳＴ１１として部門個別点検レポートの発行を指令するキー、例えば預／現計キー２６が入力されるか、ＳＴ１２として個別印刷を行う部門コードが入力されるのを待機する。
【００３４】
プリセット部門キー２３または置数キー２１と部門キー２８との入力により個別印刷を行う部門コードが入力された場合には、ＣＰＵ４１は、部門売上テーブル５２を検索して当該部門コードに対応する部門名称，売上点数及び売上金額の各データを取得する。そして、この部門コードと部門名称，売上点数及び売上金額の各データをプリンタ６によりレシート用紙に印字出力する（個別印刷実行手段）。
【００３５】
次に、ＣＰＵ４１は、ＳＴ１３として部門個別点検履歴フラグＦ２をチェックする。ここで、部門個別点検履歴フラグＦ２が“０”にリセットされていた場合には、個別点検を行う最初の部門コードが入力されたので、ＣＰＵ４１は、部門個別点検履歴テーブル５４に保管されている全ての部門コードをクリアする。次いで、カウンタＮを“０”に初期化するとともに部門個別点検履歴フラグＦ２を“１”にセットしたならば、ＳＴ１４としてカウンタＮを「１」だけカウントアップする。そして、部門個別点検履歴テーブル５４のナンバーＮ（ＮはカウンタＮの値）の領域に、入力された部門コードを書込む（コード保管処理手段）。
【００３６】
これに対し、ＳＴ１３にて部門個別点検履歴フラグＦ２が“１”にセットされていた場合には、個別点検を行う２品目以降の部門コードが入力されたので、ＣＰＵ４１は、ＳＴ１４の処理に進み、カウンタＮを「１」だけカウントアップする。そして、部門個別点検履歴テーブル５４のナンバーＮ（ＮはカウンタＮの値）の領域に、入力された部門コードを書込む（コード保管処理手段）。
【００３７】
こうして、部門コードが入力される毎に上述した処理を繰返す。そして、預／現計キー２６の入力を検知した場合には、部門個別点検レポートの発行が指令されたので、ＣＰＵ４１は、ＳＴ１５として部門個別点検履歴フラグＦ２をチェックする。この場合、部門個別点検履歴フラグＦ２は“１”にセットされているので、ＣＰＵ４１は、部門個別点検履歴フラグＦ２を“０”にリセットするとともに、ロングレシート処理をプリンタ６に指令し、レシート用紙を部門個別点検レポートとして発行させて、今回の部門個別点検業務を終了する。
【００３８】
一方、部門個別点検業務を指定する点検コードが入力された後、部門コードの入力無しに預／現計キー２６が入力された場合には、ＣＰＵ４１は、ＳＴ１５として部門個別点検履歴フラグＦ２をチェックする。この場合、部門個別点検履歴フラグＦ２は“０”にリセットされているので、ＣＰＵ４１は、カウンタＮを“０”に一旦初期化する。
【００３９】
次いで、ＣＰＵ４１は、カウンタＮを「１」だけカウントアップしたならば、ＳＴ１６として部門個別点検履歴テーブル５４のナンバーＮ（ＮはカウンタＮの値）の領域を検索し、部門コードが保管されているか否かを判断する。そして、保管されている場合にはその部門コードを取得し、部門売上テーブル５２を検索して当該部門コードに対応する部門名称，売上点数及び売上金額の各データを取得する。そして、この部門コードと部門名称，売上点数及び売上金額の各データをプリンタ６によりレシート用紙に印字出力する（履歴印刷実行手段）。
【００４０】
その後、ＣＰＵ４１は、カウンタＮをさらに「１」だけカウントアップする。そして、部門個別点検履歴テーブル５４のナンバーＮの領域を検索し、部門コードが保管されている場合にはその部門コードに対応する部門名称，売上点数及び売上金額の各データをレシート用紙に印字出力する処理を繰返す。
【００４１】
こうして、部門個別点検履歴テーブル５４のナンバーＮの領域を検索した結果、部門コードが保管されていないことを確認した場合には、ＣＰＵ４１は、ロングレシート処理をプリンタ６に指令し、レシート用紙を部門個別点検レポートとして発行させて、今回の部門個別点検業務を終了する。
【００４２】
このように構成された本実施の形態において、例えばＰＬＵ個別点検業務を行う場合には、オペレータは、モードスイッチ３を「点検」の位置に切替えた後、ＰＬＵ個別点検業務を指定する点検コードを置数し、小計キー２５を入力してＰＬＵ個別点検業務を選択する。次いで、オペレータは、前回のＰＬＵ個別点検業務と同じＰＬＵコードの売上を点検するか否かを判断する。
【００４３】
ここで、前回のＰＬＵ個別点検業務の時とは売上を点検するＰＬＵコードが１つでも異なる場合には、オペレータは、売上を点検する全てのＰＬＵコードを１つ１つ順番に入力し、入力し終えたならば預／現計キー２６を操作して、ＰＬＵ個別点検レポートの発行を指令する。こうすることにより、ＰＬＵ売上テーブル５１にて集計されているＰＬＵコード別の売上データのうち、指定されたＰＬＵコードの売上データのみが印刷されたレシート用紙が、ＰＬＵ個別点検レポートとして発行される。また、入力されたＰＬＵコードがＰＬＵ個別点検履歴テーブル５３に順番に保管される。
【００４４】
この場合、ＰＬＵ個別点検レポートに印字されるのは指定されたＰＬＵコードの売上データのみなので、全てのＰＬＵコードの売上データを印刷する場合と比較して印刷に要するコストを大幅に低減することができる。
【００４５】
一方、前回のＰＬＵ個別点検業務の時と売上を点検するＰＬＵコードが全て一致する場合には、オペレータは、ＰＬＵコードの入力無しに預／現計キー２６を操作して、ＰＬＵ個別点検レポートの発行を指令する。こうすることにより、ＰＬＵ個別点検履歴テーブル５３に保管されているＰＬＵコードが順番に抽出され、その都度、当該ＰＬＵコードが入力されたときと同様にしてそのＰＬＵコード別に集計された売上データがレシート用紙に印刷される。そして、このレシート用紙がＰＬＵ個別点検レポートとして発行される。
【００４６】
したがって、前回と同一商品の売上データを点検する場合には、その商品のＰＬＵコードを入力する手間を省略できるので、ＰＬＵ個別点検レポートを得るまでの処理時間をより一層短縮することができる。また、操作が簡略化されるので、オペレータの負担も大幅に軽減できる。この効果は、同一商品の売上データを定期的に点検する運用において、大変に有効である。
【００４７】
なお、このような作用効果は、ＰＬＵ個別点検業務を行う場合だけに限るものではなく、ＰＬＵ個別点検履歴テーブル５３に対応した部門個別点検履歴テーブル５４を備えた本実施の形態においては、部門個別点検業務を行う場合も同様に作用し、同等の効果を奏することは言うまでもないことである。
【００４８】
また、ＰＬＵコード以外の商品識別コードや部門コード以外の商品分類コード別に売上データを集計する電子式キャッシュレジスタあるいはＰＯＳ端末に、本発明を適用できるのは勿論である。
【００４９】
また、前記実施の形態では、例えばＰＬＵ個別点検業務においてＰＬＵコードが入力されると、そのＰＬＵコードに対応した売上データを印字するとともにそのＰＬＵコードをＰＬＵ個別点検履歴テーブル５３に保管したが、ＰＬＵコードが入力されると、そのＰＬＵコードをＰＬＵ個別点検履歴テーブル５３に保管し、ＰＬＵ個別点検レポートの発行を指令するキー操作が行なわれると、ＰＬＵ個別点検履歴テーブル５３に保管されているＰＬＵコードに対応した売上データを順次印字して、ＰＬＵ個別点検レポートを発行するようにしてもよい。こうすることにより、前回と同じＰＬＵコードの個別点検レポートを発行する場合、すなわちＰＬＵコードの入力無しにＰＬＵ個別点検レポートの発行を指令するキー操作が行なわれた場合とデータの印字動作が共通するので、プログラムを簡略化できる利点がある。このことは、部門個別点検業務においても同様である。
【図面の簡単な説明】
【００５０】
【図１】本発明の一実施の形態である電子式キャッシュレジスタの外観図。
【図２】同電子式キャッシュレジスタにおけるキーボードの主要なキー配置を示す模式図。
【図３】同電子式キャッシュレジスタのモードスイッチを示す模式図。
【図４】同電子式キャッシュレジスタに実装される制御回路の機能構成を示すブロック図。
【図５】同電子式キャッシュレジスタのＲＡＭに形成される主要なメモリエリアを示す模式図。
【図６】同電子式キャッシュレジスタのＣＰＵが実行する「点検」モード処理の概略を示す流れ図。
【図７】図６におけるＰＬＵ個別点検処理を具体的に示す流れ図。
【図８】図６における部門個別点検処理を具体的に示す流れ図。
【符号の説明】
【００５１】
１…電子式キャッシュレジスタ、２…キーボード、３…モードスイッチ、４…オペレータ用表示器、５…客用表示器、６…プリンタ、４１…ＣＰＵ、４２…ＲＯＭ、４３…ＲＡＭ、５１…ＰＬＵ売上テーブル、５２…部門売上テーブル、５３…ＰＬＵ個別点検履歴テーブル、５４…部門個別点検履歴テーブル。
【図１】
2005346262.tif 000003
【図２】
2005346262.tif 000004
【図３】
2005346262.tif 000005
【図４】
2005346262.tif 000006
【図５】
2005346262.tif 000007
【図６】
2005346262.tif 000008
【図７】
2005346262.tif 000009
【図８】
2005346262.tif 000010